(57)【要約】【課題】本発明は、常設の診療機能はもちろんのこと、訪問診療や災害時診療等の臨時診療にも速やかに対応し得るような可搬型歯科診療装置を提供する。【解決手段】本発明は、歯科診療に用いられる分割移動・再組立可能な可搬型歯科診療装置であって、歯科医院等に受ける常設診療時には、ＤＩモジュール１７、バキュームモジュール３６、椅子モジュール１４を常設組立態様で、かつ、水、エアー、電力からなる常設の駆動エネルギー媒体を供給して動作可能とし、臨時診療時には、分割移動したＤＩモジュール１７、バキュームモジュール３６に対して、臨時の駆動エネルギー媒体を供給して動作可能としたものである。【選択図】図１
2015142604.tif 000002
【特許請求の範囲】
【請求項１】
歯科診療に用いられるとともに、駆動エネルギー媒体の供給により動作する複数の診療モジュールを有する可搬型歯科診療装置であって、
歯科医院等に受ける常設診療時には、常設の駆動エネルギー媒体を供給して動作可能とし、
移動場所での臨時診療時には、移動場所に応じて定まる又は移動場所に運搬した臨時の駆動エネルギー媒体を供給して動作可能としたこと、
を特徴とする可搬型歯科診療装置。
【請求項２】
常設診療時と臨時診療時で駆動エネルギー媒体の供給量を切換えるための供給量切換手段を設けたことを特徴とする請求項１記載の可搬型歯科診療装置。
【請求項３】
前記供給量切換手段は少なくともエアー流量制限管路、水流量制限管路、電力制限回路の一つを含むことを特徴とする請求項２記載の可搬型歯科診療装置。
【請求項４】
前記複数の診療モジュールは、診療室に設けた基礎ユニットに対して分割移動・再組立可能であることを特徴とする請求項１乃至３のいずれかに記載の可搬型歯科診療装置。
【請求項５】
前記複数の診療モジュールがＤＩモジュール、バキュームモジュール、椅子モジュールを有することを特徴とする請求項１乃至４のいずれかに記載の可搬型歯科診療装置。
【請求項６】
前記駆動エネルギー媒体が水、エアー、電力の全部又は一部であることを特徴とする請求項１乃至５のいずれかに記載の可搬型歯科診療装置。
【請求項７】
歯科医院等における常設診療時には、複数の診療モジュールを常設組立態様で、かつ、水、エアー、電力からなる常設の駆動エネルギー媒体を供給して動作可能とし、
移動場所での臨時診療時には、分割移動・再組立した所要数の診療モジュールに対して、移動場所に応じて定まる又は移動場所に運搬した水、エアー、電力からなる駆動エネルギー媒体のうちの全部又は一部の臨時の駆動エネルギー媒体を対応する診療モジュールに供給して動作可能としたことを特徴とする１乃至６のいずれかに記載の可搬型歯科診療装置。
【請求項８】
駆動エネルギー媒体である水の供給源は、診療室内にある常設の基幹部２の水供給源、水道水、可搬型の水タンク又は水収納ボトルから、エアーの供給源は、診療室内にある常設の基幹部２のエアー供給源、可搬型の酸素ボンベ、小型コンプレッサー又は小型ポンプから、電力の供給源は、診療室内にある常設の電力供給源、商用電源又は可搬型のバッテリーから各々選定されることを特徴とする請求項１乃至６のいずれかに記載の可搬型歯科診療装置。
【請求項９】
歯科治療用ハンドピース等のドクター用具を備えたドクター装置部と、排唾用のバキュームホース等のアシスタント用具を備えたアシスタント装置部との両装置部を、搬送時には一体にし、使用時には分割することができるように構成し、
歯科医院等における常設診療時には、前記ドクター装置部とアシスタント装置部とを分離し、診療室内にある水供給源、エアー供給源、電力供給源から各駆動エネルギー媒体を供給して動作可能とし
移動場所での臨時診療時には、前記ドクター用具、アシスタント用具のうちの対応する用具に移動場所に応じて定まる又は移動場所に運搬した臨時の駆動エネルギー媒体である水、エアー又は電力を供給して動作可能としたこと、
を特徴とする請求項１乃至８のいずれかに記載の可搬型歯科診療装置。
【発明の詳細な説明】
【技術分野】
【０００１】
本発明は可搬型歯科診療装置に関し、詳しくは歯科医院等に受ける常設診療に加えて、訪問診療、災害時診療等の臨時診療に速やかに対応できる可搬型歯科診療装置に関するものである。
【背景技術】
【０００２】
従来の歯科診療ユニットは、図２４に示すように、ユニット本体１００と診療椅子１０２とからなり、例えば水平方向に移動・回転自在な主アーム１０３の先端にドクター用の診療テーブル本体１０４が固定され、タービンハンドピース１０５やシリンジ１０６等の器材が具備されている。
【０００３】
また、ユニット本体１００には患者のうがい用の給水装置１０１と、うがい鉢（スピットン）１０７とが具備され、アシスタントが治療の補助をする器材として、シリンジ１０８やバキューム１０９、排唾器具１１０などが具備されたハンガー部１１１を有するアシスタントテーブル１１２が設けられ、これも水平方向に移動・回転自在な補助アーム１１３の先端に固定されている。
【０００４】
さらに、ユニット本体１００の底部には電気、水道、圧縮空気の供給源や排水管への接続を行う基幹部１１４およびこれに接続されたフットコントローラ１１５を具備している。
【０００５】
また、図示されていないが、ユニット本体１００にはポールを介して無影灯が設けられている。
【０００６】
このような歯科診療ユニットの技術分野では、近年、高齢化社会の到来に伴い、歯科医が往診する機会が増加していることから、往診時には携帯用歯科治療ユニット（例えば、特許文献１、特許文献２参照）が用いられている。
【０００７】
携帯用歯科治療ユニットは、歯科用ポータブルユニットとも称され、一般的な歯科用ユニットのような歯科患者用チェアはなく、ユニット部一体又はユニット部とバキューム部等に分離されているものがある。通常、無影灯は組み込まれていない。
【０００８】
しかしながら、訪問歯科診療時には診療室に常設された歯科用ユニットとは別に往診用の可搬型歯科診療用ユニットを設備しなければならなかった。
【０００９】
一方、災害が発生した場合には、診療室に歯科用ユニットが設備してあっても、停電や断水などが発生すると、歯科用ユニットの駆動に必要な電気供給や水の供給ができなくなり、従って停電や断水などが復旧するまで、歯科用ユニットを作動させることができなかった。また避難救護所などで歯科診療の処置を行いたくても診療器材の手配が容易ではなかった。
【００１０】
このような状況を鑑み、歯科診療ユニットからドクター用診療テーブル本体のみを着脱自在にしたテーブル本体着脱式歯科診療ユニット（例えば、特許文献３参照）も提案されているが、このテーブル本体着脱式歯科診療ユニットは、歯科診療ユニットの全機能を提供することができないだけでなく、歯牙を切削するための必要最低限の機能すら十分に提供することができなかった。特に、主診療テーブル部にはドクターの使用する治療器材が中心に設備されているため、衛生士やアシスタントがサポートする器材がなく、歯科診療ユニットの全機能を提供するためには付属の設備を別に準備しなければならなかった。
【００１１】
また、テーブル部以外の付属の設備は歯科用診療ユニットの設備に付属したまま取り外して使用することができなかった。
【先行技術文献】
【特許文献】
【００１２】
【特許文献１】特開２００２−１６５８１７号公報
【特許文献２】特開２００１−２４５９０１号公報
【特許文献３】特開２００９−２１９７１８号公報
【発明の概要】
【発明が解決しようとする課題】
【００１３】
本発明が解決しようとする問題点は、歯科医院等における常設の診療機能はもちろんのこと、例えば訪問診療や地震等による大きな災害が発生した際等の臨時診療にも速やかに対応し得るような可搬型歯科診療装置が存在しない点である。
【課題を解決するための手段】
【００１４】
本発明に係る可搬型歯科診療装置は、歯科診療に用いられるとともに、駆動エネルギー媒体の供給により動作する複数の診療モジュールを有する可搬型歯科診療装置であって、  歯科医院等に受ける常設診療時には、常設の駆動エネルギー媒体を供給して動作可能とし、移動場所での臨時診療時には、移動場所に応じて定まる又は移動場所に運搬した臨時の駆動エネルギー媒体を供給して動作可能としたことを最も主要な特徴とする。
【発明の効果】
【００１５】
請求項１記載の発明によれば、歯科医院等における常設の診療機能はもちろんのこと、例えば訪問診療や地震等による大きな災害が発生した際等の臨時診療にも速やかに対応し得る可搬型歯科診療装置を提供することができる。
この場合、歯科医院等に受ける常設診療時には、複数の診療モジュールを常設組立態様で、かつ、常設の駆動エネルギー媒体を供給して動作可能とし  移動場所での臨時診療時には、分割移動・再組立した所要数の診療モジュールに対して、移動場所に応じて定まる又は移動場所に運搬した臨時の駆動エネルギー媒体を供給して動作可能とすることにより、常設の診療機能、臨時診療を発揮させることができる。
【００１６】
請求項２記載の発明によれば、常設診療時と臨時診療時で駆動エネルギー媒体の供給量を切換えるための供給量切換手段を設けたことにより、歯科医院等に受ける常設診療時、移動場所での臨時診療時において、各々駆動エネルギー媒体の供給量を最適化しつつ常設時の診療機能、臨時診療時の診療機能を的確に発揮させつつそれぞれの診療を行えることができる可搬型歯科診療装置を提供することができる。
【００１７】
請求項３記載の発明によれば、前記供給量切換手段として少なくともエアー流量制限管路、水流量制限管路、電力制限回路の一つを含む構成として、歯科医院等に受ける常設診療時、移動場所での臨時診療時において、各々必要な駆動エネルギー媒体の供給を最適化しつつ常設時の診療機能、臨時診療時の診療機能を的確に発揮させつつそれぞれの診療を行えることができる可搬型歯科診療装置を提供することができる。
【００１８】
請求項４記載の発明によれば、前記複数の診療モジュールは、診療室に設けた基礎ユニットに対して分割移動・再組立可能な構成として、常設時の診療、臨時診療に速やかに対応し得る可搬型歯科診療装置を提供することができる。
【００１９】
請求項５記載の発明によれば、前記複数の診療モジュールがＤＩモジュール、バキュームモジュール、椅子モジュールを有する構成として、これらを適宜組み合わせることで歯科医院等における常設の診療機能はもちろんのこと、訪問診療や地震等による大きな災害が発生した際等の臨時診療にも速やかに対応し得る可搬型歯科診療装置を提供することができる。
【００２０】
請求項６記載の発明によれば、前記駆動エネルギー媒体が水、エアー、電力の全部又は一部であることにより、水、エアー、電力を必要とする診療モジュールの各動作を確保しつつ常設時の診療、又は、臨時診療に速やかに対応し得る可搬型歯科診療装置を提供することができる。
【００２１】
請求項７記載の発明によれば、歯科医院等における常設診療時には、複数の診療モジュールを常設組立態様で、かつ、水、エアー、電力からなる常設の駆動エネルギー媒体を供給して動作可能とし、移動場所での臨時診療時には、分割移動・再組立した所要数の診療モジュールに対して、移動場所に応じて定まる又は移動場所に運搬した水、エアー、電力からなる駆動エネルギー媒体のうちの全部又は一部の臨時の駆動エネルギー媒体を対応する診療モジュールに供給して動作可能としたことにより、歯科医院等における常設の診療機能や訪問診療、地震等による大きな災害が発生した際等の臨時診療を各々的確に実行できる可搬型歯科診療装置を提供することができる。
【００２２】
請求項８記載の発明によれば、駆動エネルギー媒体である水の供給源は、診療室内にある常設の基幹部２の水供給源、水道水、可搬型の水タンク又は水収納ボトルから、エアーの供給源は、診療室内にある常設の基幹部２のエアー供給源、可搬型の酸素ボンベ、小型コンプレッサー又は小型ポンプから、電力の供給源は、診療室内にある常設の電力供給源、商用電源又は可搬型のバッテリーから各々選定される構成として、歯科医院等における常設の診療機能や訪問診療や地震等による大きな災害が発生した際等の臨時診療に際して各々最適の水、エアー、電力の供給源を確保しつつ的確な診療行為を実現できる可搬型歯科診療装置を提供することができる。
【００２３】
請求項９記載の発明によれば、歯科治療用ハンドピース等のドクター用具を備えたドクター装置部と、排唾用のバキュームホース等のアシスタント用具を備えたアシスタント装置部との両装置部を、搬送時には一体にし、使用時には分割することができるように構成し、歯科医院等における常設診療時には、前記ドクター装置部とアシスタント装置部とを分離し、診療室内にある水供給源、エアー供給源、電力供給源から各駆動エネルギー媒体を供給して動作可能とし移動場所での臨時診療時には、前記ドクター用具、アシスタント用具のうちの対応する用具に移動場所に応じて定まる又は移動場所に運搬した臨時の駆動エネルギー媒体である水、エアー又は電力を供給して動作可能としたことにより、比較的簡略な構成の基に、訪問診療や地震等による大きな災害が発生した際等の臨時診療機能に加えて、常設態様での診療機能をも併せて発揮する可搬型歯科診療装置を提供することができる。
【図面の簡単な説明】
【００２４】
【図１】図１は本発明の実施例１に係る可搬型歯科診療装置の常設診療時の形態を示す概略斜視図である。
【図２】図２は本実施例１に係る可搬型歯科診療装置の常設診療時の別の形態を示す概略斜視図である。
【図３】図３は本実施例１に係る可搬型歯科診療装置における基礎ユニットの構成例を示す概略斜視図である。
【図４】図４は本実施例１に係る可搬型歯科診療装置におけるＤＩモジュールの構成を示す概略斜視図である。
【図５】図５は本実施例１に係る可搬型歯科診療装置におけるＤＩモジュールの水・エアー回路を示す図である。
【図６】図６は本実施例１に係る可搬型歯科診療装置におけるバキュームモジュールの構成を示す概略斜視図である。
【図７】図７は本実施例１に係る可搬型歯科診療装置におけるバキュームモジュールの水・エアー・電気回路を示す図である。
【図８】図８は本実施例１に係る可搬型歯科診療装置における椅子モジュールを示す概略斜視図である。
【図９】図９は本実施例１に係る可搬型歯科診療装置におけるＤＩモジュール、バキュームモジュール及び椅子モジュールの移動の手順を示す説明図である。
【図１０】図１０は本実施例１に係る可搬型歯科装置におけるＤＩモジュール、バキュームモジュールを椅子モジュールに載せた状態を示す概略斜視図である。
【図１１】図１１は本実施例１に係る可搬型歯科装置における椅子モジュール及び専用台を示す概略斜視図である。
【図１２】図１２は本実施例１に係る可搬型歯科装置におけるＤＩモジュール、バキュームモジュールを連結した状態を示す概略斜視図である。
【図１３】図１３は本実施例１に係る可搬型歯科装置におけるＤＩモジュール、バキュームモジュールを使用してベッド上の患者を診療する態様を示す概略斜視図である。
【図１４】図１４はフットコントローラを接続したＤＩモジュールをキャスター付きの収納カートと組み合わせた構成例を示す概略斜視図である。
【図１５】図１５は本実施例１に係る可搬型歯科装置におけるＤＩモジュール等の災害時診療態様を示す概略斜視図である。
【図１６】図１６は本実施例１に係る可搬型歯科装置の歯科用インスツルメント類に関する臨時診療時と常設診療時との空気、水の供給態様別の動作比較例である。
【図１７】図１７は本実施例１に係る可搬型歯科装置におけるエフー、水、電気の供給量制限系の概略構成を示す説明図である。
【図１８】図１８は本発明の実施例２に係る可搬型歯科診療装置の分解状態の概略図である。
【図１９】図１９は本実施例２に係る可搬型歯科診療装置のドクター装置部を示す概略斜視図である。
【図２０】図２０は本実施例２に係る可搬型歯科診療装置のドクター装置部を示す概略正面図である。
【図２１】図２１は本実施例２に係る可搬型歯科診療装置のアシスタント装置部を示す概略斜視図である。
【図２２】図２２は本実施例２に係る可搬型歯科診療装置に専用搬送カートを付加した状態を示す概略側面図である。
【図２３】図２３は本実施例２に係る可搬型歯科診療装置を診療室において常設態様で使用する場合の状態を示す概略斜視図である。
【図２４】図２４は従来の歯科診療ユニットの構成を示す概略斜視図である。
【発明を実施するための形態】
【００２５】
本発明は、歯科医院等における常設の診療機能はもちろんのこと、例えば訪問診療や地震等による大きな災害が発生した際等の臨時診療にも速やかに対応し得る可搬型歯科診療装置を提供するという目的を、歯科診療に用いられるとともに、基礎ユニットに対して分割移動・再組立可能で、水、エアー、電力からなる駆動エネルギー媒体のうちの全部又は一部の供給により動作する複数の診療モジュールを有する可搬型歯科診療装置であって、歯科医院等に受ける常設診療時には、複数の診療モジュールを常設組立態様で、かつ、水、エアー、電力からなる常設の駆動エネルギー媒体を供給して動作可能とし、移動場所での臨時診療時には、分割移動・再組立した所要数の診療モジュールに対して、移動場所に応じて定まる又は移動場所に運搬した水、エアー、電力からなる駆動エネルギー媒体のうちの全部又は一部の臨時の駆動エネルギー媒体を対応する診療モジュールに供給して動作可能とした構成により実現した。
【実施例１】
【００２６】
以下に本発明の実施例に係る可搬型歯科診療装置について詳細に説明する。
本実施例１に係る可搬型歯科診療装置は、図１および図２に示すように、基礎ユニット１、椅子モジュール（診療椅子モジュール）１４、ＤＩモジュール１７、バキュームモジュール３６等の複数の診療モジュールによって構成している。
【００２７】
前記基礎ユニット１は、移動診療時に診療に必要な診療モジュールを取り除いた状態で構成するものである。
【００２８】
どこまでの要素を基礎ユニット１に設定するかどうかは、その形状、大きさ、構造に限定されるものではないが、少なくとも歯科診療を行ううえで必要なエネルギーの供給を行う基幹部２は含むものとする。
【００２９】
例えば、ドクター用の診療テーブル３を保持する主アーム４や、診療テーブル３の上下バランスを保つバランスアーム５を基礎ユニット１に含めても良いし、さらに、ドクター用の診療テーブル３までを含めて基礎ユニット１としても良い。
【００３０】
また、衛生士やアシスタントがドクターの診療を補助するためのアシスタントテーブル６を保持する補助アーム７を基礎ユニット１に含めても良い。
【００３１】
前記アシスタントテーブル６には、バキュームチップ８やシリンジ９等を具備し、ドクター用の診療テーブル３とは、反対側に配置して使用するものである。
【００３２】
前記基礎ユニット１の基幹部２は、歯科医院等に受ける診療室の床に常設され、この床に埋設された水、空気、電力からなる常設の駆動エネルギー媒体を供給する駆動エネルギー媒体供給手段が基幹部２に接続され、さらに、排水手段も設けられている。
【００３３】
前記基礎ユニット１の基幹部２へ供給する駆動エネルギー媒体としては、例えば歯科医院等の水道設備からの水道水、歯科医院等に設置したエアーコンプレッサーからのエアー（圧縮空気）、歯科医院等に設置した電気設備から供給される電力（例えばＡＣ１００Ｖ用のコンセントから供給される交流電力）等がある。
【００３４】
水道水は、前記基礎ユニット１に設けられたうがいの為のコップに給水する給水口１０への供給や、歯科診療時に使用する各種の歯科用インスツルメント類に使われる水として供給される。
【００３５】
エアー（圧縮空気）は、各種の歯科用インスツルメントの動作用、口腔内の患部の清掃や冷却用として供給される。
電力は、各種の歯科用インスツルメントの動作用である駆動エネルギー媒体の一種として供給される。
【００３６】
すなわち、電力は、椅子モジュール１４、インスツルメントモジュール１１等の駆動エネルギー媒体の一種として、さらには、図示しないが照明用として使用される無影灯や、光重合器等、歯科診療装置の制御用の駆動エネルギー媒体として使用される。
【００３７】
また、前記椅子モジュール１４の椅子本体１４ａには、キャスター１８およびこのキャスター１８用のストッパー１９を設けている。さらに、前記基幹部２には、足踏み操作用のフットコントローラ２０を接続配置している。
【００３８】
また、歯科診療時に基礎ユニット１から多目的にエアーの使用が可能なようにドクター用の診療テーブル３の下部には、エアーワンタッチジョイント（図示せず）も設置されている。
【００３９】
排水手段には、歯科診療に使用されたうがい水等をスピットン１５から排水したもの、歯科診療時にバキュームチップ４１から吸引された唾液等を、吸引時にセパレータ１６にかけ、液体と気体に分離して排水する機能を持たせるようにする。
【００４０】
図２は、本実施例１に係る可搬型歯科診療装置において、前記アシスタントテーブル６に代えて、診療モジュールの一種であるバキュームモジュール３６を配置した可搬型歯科診療装置の構成例を示すものである。
【００４１】
前記バキュームモジュール３６は、基礎ユニット１のアシスタント側に設けられた補助アーム７に着脱自在に装着する構成としている。このバキュームモジュール３６の詳細については後述する。
【００４２】
次に、上述した歯科診療装置の各診療モジュールについて詳述する。
【００４３】
（ＤＩモジュール１７）
図１又は図２に示すドクター用の診療テーブル３には、診療モジュールの一種であるモジュール化されたＤＩモジュール（デンタルインスツルメントモジュール）１７を着脱自在に結合している。
【００４４】
このＤＩモジュール１７には、ＤＩモジュール本体１７ａに対して歯科診療で使用するインスツルメントモジュール１１を構成するエアータービンハンドピース１２、シリンジ１３を組み込んでいる。
【００４５】
前記インスツルメントモジュール１１としては、前記エアータービンハンドピース１２やシリンジ１３の他、図示しないがマイクロモーターハンドピース、スケーラー、光重合器、口腔内観察カメラ等が必要に応じて組み込まれる。
【００４６】
このようなインスツルメントモジュール１１をＤＩモジュール１７と組み合わせることによって集合診療モジュールを構成している。
【００４７】
図４は前記インスツルメントモジュール１１を組み込んだＤＩモジュール本体１７ａの構成及び水タンク２１等を概略的に示すものである。
【００４８】
前記ＤＩモジュール本体１７ａには、前記基礎ユニット１に接続されているフットコントローラ２０を接続することができるように構成している。
【００４９】
また、前記ＤＩモジュール本体１７ａの壁面には、図４に示すように、水用ワンタッチジョイント（オス）２４ａ、エアー用ワンタッチジョイント（オス）２３ａ、及び、電力用コネクタ（オス）６１ａを配置している。
【００５０】
そして、駆動エネルギー媒体の一種である水を供給する水タンク２１の供給口に一端を接続し、他端に水用ワンタッチジョイント（メス）２４ｂを設けた水用ホース２４ｃを予め用意し、水用ワンタッチジョイント（メス）２４ｂを前記水用ワンタッチジョイント（オス）２４ａに嵌着することで、前記ＤＩモジュール本体１７ａに水を供給し得るように構成している。
【００５１】
前記水用ワンタッチジョイント（オス）２４ａ、水用ワンタッチジョイント（メス）２４ｂにより水用ワンタッチジョイント２４を構成している。
【００５２】
駆動エネルギー媒体の一種である水の供給源としては、水タンク２１の他に、例えば飲料水ボトル２１Ａ（収容水量５００ｍＬ）を採用し、前記水用ホース２４ｃを用いて前記ＤＩモジュール本体１７ａに水を供給する構成とすることもできる。
【００５３】
また、駆動エネルギー媒体の一種であるエアーを供給する例えば酸素ボンベ３２の供給口に一端を接続し、他端にエアー用ワンタッチジョイント（メス）２３ｂを設けたエアー用ホース２３ｃを予め用意し、エアー用ワンタッチジョイント（メス）２３ｂを前記エアー用ワンタッチジョイント（オス）２３ａに嵌着することで、前記ＤＩモジュール本体１７ａにエアーを供給し得るように構成している。
【００５４】
前記エアー用ワンタッチジョイント（オス）２３ａ、エアー用ワンタッチジョイント（メス）２３ｂによりエアー用ワンタッチジョイント２３を構成している。
【００５５】
駆動エネルギー媒体の一種であるエアーの供給源としては、酸素ボンベ３２の他に、小型コンブレッサー３２Ａを採用し、前記エアー用ホース２３ｃを用いて前記ＤＩモジュール本体１７ａにエアーを供給する構成とすることもできる。
【００５６】
さらに図示しない小型ポンプをエアーの供給源としてもよい。
【００５７】
電力の供給用としては、一端に図示しないＡＣコンセントに接続するプラグ６２を備え他端に電力用コネクタ（メス）６１ｂを備えた電源ケーブル６３を予め用意し、プラグ６２をＡＣコンセントに、電力用コネクタ（メス）６１ｂを電力用コネクタ（オス）６１ａに装着することで、前記ＤＩモジュール本体１７ａに駆動エネルギー媒体の一種である所要の交流電力を供給し得るように構成している。
【００５８】
さらに、電力については、別の態様として、駆動エネルギー媒体の一種である電力（直流電力）を供給するバッテリー（蓄電池）６４の陽極、陰極に一端を接続し、他端に電力用コネクタ（メス）６１ｂを備えた別の電源ケーブル６５を予め用意し、この電源ケーブル６５の電力用コネクタ（メス）６１ｂを前記電力用コネクタ（オス）６１ａに装着することで、前記ＤＩモジュール本体１７ａに駆動エネルギー媒体の一種である所要の直流電力を供給し得るように構成している。
【００５９】
尚、前記バッテリー６４からの直流電力は、当然前記ＡＣコンセントからの交流電力とは異なるが、前記ＤＩモジュール本体１７ａ内に駆動電圧コントロール回路（図示せず）を設けることで、前記エアータービンハンドピース１２やシリンジ１３等の動作を支障なく実行できるように構成している。
【００６０】
このようにして、前記ＤＩモジュール１７は、図１、図２に示す常設の設置態様の他、基礎ユニット１から分割した単体として可搬可能である臨時の診療モジュールとして再構成することができるようにしている。
【００６１】
前記ＤＩモジュール１７には、補助的に収納ケース５０も付加される。
【００６２】
図５は前記ＤＩモジュール１７の水・エアー回路を示すものである。
【００６３】
前記ＤＩモジュール１７の水・エアー回路は、エアー用ワンタッチジョイント（オス）２３ａに接続した接続チューブ２５、及び、水用ワンタッチジョイント（オス）２４ａに接続した接続チューブ２６を具備している。
【００６４】
前記水・エアー回路においては、エアー用ワンタッチジョイント（オス）２３ａに供給されるエアーは、接続チューブ２５を経て、レギュレータ２７に供給され、このレギュレータ２７により最適な圧力に調整された後、フットコントローラ２０を構成する踏み込み式のドライブペダル２８ａを備えた切替弁２８を経て前記エアータービンハンドピース１２にドライブエアー又はチップエアーとして供給される。
【００６５】
また、前記レギュレータ２７により最適な圧力に調整されたエアーは、このレギュレータ２７の後段のエアー管路から分岐した分岐接続チューブ２５ａから圧力調整弁２８ｂを経て前記シリンジ１３に供給される。
【００６６】
さらに、前記エアーは、前記分岐接続チューブ２５ａから分岐したエアー管路に設けた開閉制御弁３１を経て水タンク２１に供給される。
【００６７】
一方、前記水ワンタッチジョイント（オス）２４ａに供給される水は、接続チューブ２６からシャトル弁２９を経て水タンク２１に供給される。
【００６８】
また、前記シャトル弁２９から分岐接続チューブ２６ａを経て前記シリンジ１３に水が供給されるように構成している。
【００６９】
前記分岐接続チューブ２６ａの途中から分岐した水流路には切替弁３０ａが配置され、前記切替弁２８の吐出側に接続されたフットコントローラ２０を構成する切替制御弁３０により切替弁３０ａを制御して前記エアータービンハンドピース１２に水を供給し、エアータービンハンドピース１２からエアーと混合したスプレーを吐出し得るように構成している。
【００７０】
（バキュームモジュール３６）
次に、図６、図７を参照してバキュームモジュール３６について説明する。
【００７１】
このバキュームモジュール３６は、前記基礎ユニット１のアシスタント側に設けられた補助アーム７に着脱自在に装着するように構成している。
【００７２】
このバキュームモジュール３６は、バキュームモジュール本体３６ａを具備し、バキュームモジュール本体３６ａには、ホース３９を備えたバキュームチップ４１を設置するハンガー４２、バキュームチップ４１の作動をオン／オフするスイッチ４３、分岐接続部４０を設けている。
【００７３】
さらに、前記バキュームモジュール３６は、前記基礎ユニット１のスピットン置台４８から分離可能に構成したスピットン１５を含み、スピットン１５に連通させた接続ホース１５ａ及び前記ホース３９を分岐接続部４０に接続する構成としている。
【００７４】
前記スピットン１５は、基礎ユニット１から分離したとき携帯用の台４９に設置するようになっている。
【００７５】
前記バキュームモジュール本体３６ａの内部には、図７に示すように、空気・水・電気回路を設けている。
【００７６】
前記空気・水・電気回路は、バキュームモータ３８を回転させることによってバキュームタンク４４内を陰圧にして、バキュームチップ４１やスピットン１５から分岐接続部４０を経て吸引した水等の液体や空気をセパレータタンク４５内で水と空気に分離して、空気は外部に排気し、液体はセパレータタンク４５内に溜める構成としている。
【００７７】
前記セパレータタンク４５に溜まった水等の液体は、決められた水量以上に溜まると、フロート４６を押し上げて、逆止弁４７を閉じ、水分がバキュームタンク４４に流れ込まないように構成している。
【００７８】
前記スピットン１５は、常設診療時、基礎ユニット１のスピットン置台４８に搭載するが、臨時診療時には、基礎ユニット１から分離し図６に示すように携帯用の台４９に載せて使用するものである。
【００７９】
前記バキュームモジュール本体３６ａの外壁部には、バキュームモータ３８用の電力用コネクタ（オス）７１ａが設けられ、さらに、一端に図示しないＡＣコンセントに接続するプラグ７２を備え他端に電力用コネクタ（メス）７１ｂを備えた電源ケーブル７３を予め用意し、プラグ７２をＡＣコンセントに、電力用コネクタ（メス）７１ｂを電力用コネクタ（オス）７１ａに装着することで、前記バキュームモータ３８に所要の交流電力を供給し得るように構成している。
これら構造により、前記バキュームモジュール３６を常設の又は臨時の診療モジュールの一つとして機能させることができるように構成している。
【００８０】
（椅子モジュール１４）
次に、椅子モジュール１４について図８を参照して説明する。
【００８１】
患者が座る椅子モジュール１４は、前記基礎ユニット１から取外し可能に構成している。
この椅子ジュール１４は、椅子本体１４ａの底部に例えばストレッチャー車椅子の場合のようなキャスター１８が装備されて、床面上を移動可能に構成されており、診療時にはストッパー１９を踏み込むことによってロックをかけ、椅子本体１４ａが移動しないような構造としている。
【００８２】
また、前記椅子本体１４ａのロックはストッパー１９の再踏み込み、またはストッパー１９を跳ね上げることによって解除することができるように構成する。
【００８３】
さらには、前記ストッパー１９を踏み込むことでキャスター１８を下方へ押し下げると共に椅子本体１４ａを上方へ押し上げて移動可能とし、再踏み込みでキャスター１８を上方へ押し上げると共に椅子本体１４ａを下方へ押し下げ、床に固定するようにしてもよい。
【００８４】
さらに、椅子本体１４ａに電源ケーブル２２ａを具備するコンプレッサー装備２２を付加し、コンプレッサー装備２２を駆動エネルギー媒体の一種であるエアーの供給源とする構成も可能である。これら構造により、前記椅子モジュール１４を常設の又は臨時の診療モジュールの一つとして機能させることができるように構成している。
次に、図１、図２、図９乃至図１４を参照して常設診療時の診療態様、臨時診療時に対応するための診療モジュールの移動方法、及び、臨時診療時の診療態様について説明する。
【００８５】
歯科医院等における常設診療時には、図１又は図２に示すように、基礎ユニット１、椅子モジュール１４及び複数の診療モジュールによって構成した可搬型歯科診療装置を使用して常設態様の診療を実行する。
【００８６】
この場合、前記基礎ユニット１の基幹部２に対して、常設の水道設備からの水道水、常設のエアーコンプレッサーからのエアー（圧縮空気）、常設の電気設備から供給される電力を供給し、複数の診療モジュールを各々動作可能状態として常設態様の診療を実行するものである。
【００８７】
一方、例えば訪問診療時のような臨時診療時には、図９、図１０に示すように、ＤＩモジュール１７、バキュームモジュール３６及び椅子モジュール１４の移動の手順を行う。
【００８８】
訪問診療時には、ＤＩモジュール１７、バキュームモジュール３６及び椅子モジュール１４を図１に示す常設態様から分割する。
【００８９】
前記ＤＩモジュール１７は、収納ケース５０の上に載置する。また、収納ケース５０の内部には、水タンク２１、フットコントローラ２０を収納する。そして、ＤＩモジュール１７、収納ケース５０を椅子モジュール１４の座部に載置する。
【００９０】
同様に、バキュームモジュール３６の上部には、スピットン１５を携帯用の台４９に載せたまま搭載し、これらも椅子モジュール１４の座部に載置し、図１０に示すように椅子モジュール１４に搭載した状態で例えば車椅子仕様車に載せて目的地に移動する。
【００９１】
この場合、図４に示すようなエアー供給用の酸素ボンベ３２、水用ホース２４ｃ、エアー用ホース２３ｃ、電源ケーブル６３、さらには、図６に示すようなバキュームモジュール３６用の電源ケーブル７３も併せて携行する。
【００９２】
目的地に到着したら、ＤＩモジュール１７を収納ケース５０に載せたまま床に下ろし。また、バキュームモジュール３６も床に下ろし、さらにスピットン１５を携帯用の台４９に乗せたまま床に下ろして椅子モジュール１４とともに目的地における診療に供する。
【００９３】
図１１に示すように、椅子モジュール１４の縦部に専用台５３を現地で取り付け、その上にＤＩモジュール１７、バキュームモジュール３６を置いて診療を行ってもよい。
【００９４】
図１２は椅子モジュール１４を使用しない場合のＤＩモジュール１７、バキュームモジュール３６、スピットン１５の移動方法を示すものである。
【００９５】
収納ケース５０に搭載したＤＩモジュール１７とスピットン１５を載せたバキュームモジュール３６とをベルト５２などで連結し、この状態で例えば車椅子仕様車に載せて目的地に移動する。
【００９６】
訪問診療時には、例えば図１３に示すように患者が寝ているベッド５３の両脇にＤＩモジュール１７、バキュームモジュール３６を配置して診療を実行する。
この場合、前記ＤＩモジュール１７に対しては、水タンク２１から水用ホース２４ｃを経て水を供給し、酸素ボンベ３２からエアー用ホース２３ｃを経てエアーを供給し、電源ケーブル６３を訪問先の商用電源であるＡＣ１００Ｖコンセントに接続して所要の電力を供給する。
【００９７】
また、前記バキュームモジュール３６に対しては、電源ケーブル７３を訪問先の商用電源であるＡＣ１００Ｖコンセントに接続して所要の電力を供給する。
【００９８】
このようにして、ＤＩモジュール１７、バキュームモジュール３６を臨時態様で再構成し、訪問診療場所でベッド５３を使用している患者に対する診療を実行することが可能となる。
【００９９】
ベッド５３を使用する必要のない患者の場合には、前記椅子モジュール１４を使用することは言うまでもない。
【０１００】
尚、図１２は椅子モジュール１４を使用しない場合のＤＩモジュール１７、バキュームモジュール３６、スピットン１５の移動方法を示すものである。
【０１０１】
図１４は、図９の構成例に替えて、フットコントローラ２０を接続したＤＩモジュール１７をキャスター３５付きの収納カート３５と組み合わせた構成例を示すものである。    この場合、収納カート３５内には水供給用の水タンク２１、エアー供給用の酸素ボンベ３２を収納している。このような態様でも図１３に示す場合と同様にして訪問診療を実行することが可能である。
【０１０２】
次に、移動場所での臨時診療の別態様である災害時診療時における診療モジュールの移動方法及び再構成態様について図１５を参照して説明する。
【０１０３】
災害時診療時においては、災害時の診療場所に基礎ユニット１から分割したＤＩモジュール１７に加えて、水タンク２１、酸素ボンベ３２、バッテリー６４、さらには、水用ホース２１ｃ、エアー用ホース２３ｃ、電源ケーブル６５をも移動場所に運搬する。
【０１０４】
そして、水タンク２１、水用ホース２１ｃを用いてＤＩモジュール１７に水を供給し、酸素ボンベ３２、エアー用ホース２３ｃを用いてＤＩモジュール１７にエアーを供給し、バッテリー６４、電源ケーブル６５を用いてＤＩモジュール１７に電力を供給することで、前記ＤＩモジュール１７を動作させて災害時診療を実行する。
【０１０５】
前記水タンク２１に替えて飲料水ボトル２１Ａを水供給源とすることもできる。
【０１０６】
図１６は、臨時診療時と、常設診療時とにおけるマイクロモータ（マイクロモーターハンドピース）、タービン（タービンハンドピース）シリンジに対して駆動エネルギー媒体であるエアー（空気）を供給しない場合の回転速度、トルク、使用の可否の態様、及びエアー（空気）を供給した場合の回転速度、トルク、使用の可否の態様を示したものである。また、臨時診療時と、常設診療時とにおけるマイクロモータ（マイクロモーターハンドピース）、タービン（タービンハンドピース）、シリンジ、及び、スケーラーに対して駆動エネルギー媒体である水を入力した場合の注水量の比較を示すものである。
【０１０７】
図１６から明らかなように、常設診療時においては、マイクロモータ（マイクロモーターハンドピース）、タービン（タービンハンドピース）、シリンジ、及び、スケーラーからなる歯科用インスツルメントのうちのマイクロモータ（マイクロモータハンドピース）については、エアー供給源からのエアーが十分に確保できることから、回転速度、トルクとも定格の機能を発揮させることができる。
【０１０８】
また、タービン（タービンハンドピース）、シリンジも通常通り使用することができる。
【０１０９】
さらに、マイクロモータ（マイクロモーターハンドピース）、タービン（タービンハンドピース）、シリンジ、及び、スケーラーのいずれについても、水供給源からの注水量による制限を受けることなく、各々の機能を通常通り使用することができる。
【０１１０】
一方、臨時診療時においては、マイクロモータ（マイクロモーターハンドピース）、タービン（タービンハンドピース）、シリンジ、及び、スケーラーからなる歯科用インスツルメントのうちのマイクロモータ（マイクロモータハンドピース）については、エアー供給源からのエアー供給はない、或いは酸素ボンベ３２等から供給されることから、エアー供給量に限界があり、充分なエアー供給が難しい。
【０１１１】
そこで、エアー供給がなかったり、エアーの供給量を絞った状態で、常設エアーの供給と同様な回転速度や回転トルクを得ようとすると、回路や回転部分で発生する発熱量を十分冷却することができなくなるので故障したり、寿命が著しく短くなるなどの問題を発生する。
【０１１２】
そのため、回転速度、トルクの点で上述した常設診療時の場合よりも下回るようにマイクロモータへの供給電力量を制限することでその下回った範囲でマイクロモータ（マイクロモータハンドピース）を臨時診療に供することができる。
【０１１３】
そこで本実施例１では、図１７に示すように、臨時診療時と、常設診療時の供給量切換手段９５を設ける。前記供給量切換手段９５は、切換弁からなるエアー供給量切換部９５ａ、切換弁からなる水供給量切換部９５ｂ、切換スイッチのような電力供給量切換部９５ｃにより構成する。
【０１１４】
そして、臨時診療時は、エアーが流量を制限したエアー流量制限管路９６を通過するように供給量切換部９５ａで切換える。同様に、臨時診療時は、水が流量を制限した水流量制限管路９７を通過するように水供給量切換部９５ｂで切換える。さらに、臨時診療時は、電力についてはマイクロモータへの電力を制限するような電力供給制限回路９８を経由するように電力供給量切換部９５ｃにより切換える。
【０１１５】
さらに、マイクロモータ（マイクロモーターハンドピース）、タービン（タービンハンドピース）、シリンジ、及び、スケーラーのいずれについても、水供給源である飲料水ボトル２１Ａ等の水供給源からの注水量によるため、短時間で水を消耗しないように注水量に制限を加えるように水流量制限管路９７を通過するように水供給量切換部９５ｂで切換えることで制約が生じるが、注水量の制約の範囲内でこれらを臨時診療に供することができる。
【０１１６】
前記供給量切換手段９５としては、手動でバルブ分岐の切換えや切換スイッチの切換え操作を行っても良い。またバルブを電動バルブにすれば、電気的操作で切換えることも可能である。
【０１１７】
さらにエアー供給源、水供給源、電力供給源が、常設エネルギー源と臨時エネルギー源のどちらのエネルギー源が接続されたかが分かるように接続部に認識機能を設けておけば、前記供給量切換手段９５を自動で切換えることも可能である。
尚、図１７で示すエアー供給源、水供給源、電力供給源は、図４のＤＩモジュール１７におけるエアー用ワンタッチジョイント２３a、水用ワンタッチジョイント２４ａ、電力用コネクタ６１ａに接続する各供給源に相当し、図１７で示す供給量切換手段９５は図４における供給量切換手段９５に相当し、その内部に設けられた、エアー供給量切換部９５ａ、水供給量切換部９５ｂ、電力供給量切換部９５ｃの切換操作によって、常設診療と臨時診療の切換が可能となる。
【０１１８】
以上歯科用インスツルメントのうちマイクロモータについて説明したが同様にマイクロモータ以外のインスツルメントについても供給量切換手段９５を設けて、供給エネルギーを制限してインスツルメントに供給することが可能となる。
【０１１９】
尚、酸素ボンベ３２等からエアー供給した場合は、エアーを駆動源とするタービン（タービンハンドピース）、シリンジ等では、短時間でエアーを消耗してしまうためスケーラーについては使用できない事態も生じるように制限することもできる。
【実施例２】
【０１２０】
次に、本発明の実施例２に係る可搬型歯科診療装置について、図１８乃至図２３を参照して説明する。
【０１２１】
本実施例２に係る可搬型歯科治療装置８１は、図１８に示すように、ドクター装置部８２と、このドクター装置部８２の一方の側面を覆うように構成した蓋体８３ａ内に一体的に組み込んだアシスタント装置部８３と、前記ドクター装置部８２の他方の側面を覆うように構成した蓋体８２ａとを具備し、ドクター装置部８２の両側に前記蓋体８２ａ、８３ａを装着することで、全体を一体化し得るように構成している。
【０１２２】
前記ドクター装置部８２は、図１９、図２０に示すように、このドクター装置部８２を構成する装置枠体８４の一方の側壁にトリプルシリンジ８６ａ、マイクロモーターハンドピース（又はエアータービンハンドピース）８６ｂ、スケーラー８６ｃ等のインスツルメント類８５がハンガー８７に対して引き出し自在に備えられ、その下部に前記トリプルシリンジ８６ａ、マイクロモーターハンドピース８６ｂ等に駆動エネルギー媒体の一種である電力を供給するためのプラグ（ＡＣプラグ）７５が電気コード７６を介して電気的に接続し得るように設けられている。
【０１２３】
また、前記ドクター装置部８２の装置枠体８４には、駆動エネルギー媒体の一種である圧力水用の貯水タンク７７が備えられている。
【０１２４】
尚、前記ハンガー８７は回動自在に構成されており、ドクターはハンガー８７を回動してインスツルメント類８５を診療に好都合な位置に移動させることができるようになっている。
【０１２５】
また、前記ドクター装置部８２には、歯科診療のためにドクターが各種操作を行う操作パネル８８が設けられている。
【０１２６】
前記アシスタント装置部８３は、図２１に示すように、蓋体８３ａの内側に、排唾を空気と共に吸引誘導するバキュームホース８９を連結し、このバキュームホース８９にて吸引された排唾を気液分離するためのセパレータ部９０が蓋体８３ａの内壁に固定され、セパレータ部９０の下面にはこのセパレータ部９０に吸引装置、例えば図示しないが家庭用電気掃除機等を装着する吸引ホース９２が連結されている。
【０１２７】
そして、前記バキュームホース８９の端部には図示しない排唾用の吸引ノズルを着脱自在に装着する装着口８９ａが設けられ、この装着口８９ａはセパレータ部９０の上端に支持杆９０ａを介して支持されたハンガー９１の掛止部９１ａに係脱自在に係止されている。
【０１２８】
一方、前記セパレータ部９０の下面には吸引ホース９２が接続され、その開放端には例えば家庭用掃除機等の吸引装置を着脱自在に装着する装着口９２ａが設けられている。
【０１２９】
また、セパレータ部９０内には図示しないが排唾貯留用のセパレータタンクが載置されている。尚、排唾とともに吸引される空気は、気液分離により大気中に放出されるようになっている。
【０１３０】
前記ドクター装置部８２と、アシスタント装置部８３とは、係止突起８２ｃと、係止フック８３ｃとにより係脱可能に構成されるとともに、ドクター装置部８２には持ち運び用の把手８２ｂを、アシスタント装置部８３には持ち運び用の把手８３ｂを各々設けている。
【０１３１】
本実施例２によれば、前記ドクター装置部８２とアシスタント装置部８３とを分離結合可能とした構成を採用しているので、ドクター装置部８２とアシスタント装置部８３とを一体化し、移動場所に簡略に搬送することができ、臨時診療である訪問診療や災害時診療に的確に対応することができる。
【０１３２】
また、本実施例２によれば、訪問診療や災害時診療の場合には、前記ドクター装置部８２とアシスタント装置部８３とを分離してドクター装置部２をドクター側に、アシスタント装置部３をアシスタント側に配置することが可能となり、アシスタント用具を患者越しに使用しなくてもよくなる。
【０１３３】
本実施例２に係る可搬型歯科治療装置８１において、訪問診療の際には、前記ドクター装置部８２に関しては、例えば、駆動エネルギー媒体の一種である水は、貯水タンク７７により供給し、エアーは実施例１の場合と同様に、可搬型歯科治療装置８１とともに運搬した酸素ボンベ３２又は小型コンブレッサー３２Ａにより供給し、さらに、電力は前記プラグ７５、コード７６を用いて訪問宅の家庭内コンセントから供給することで前記インスツルメント類８５を動作させ、歯科診療を実行することができる。
【０１３４】
また、前記アシスタント装置部８３に関しては、既述したように家庭用電気掃除機等の吸引力を用いて患者の排唾動作を実行することができる。
【０１３５】
一方、災害時診療の場合は、前記ドクター装置部８２に関しては、例えば駆動エネルギー媒体の一種である水は貯水タンク７７により供給し、エアーは実施例１の場合と同様に可搬型歯科治療装置８１とともに運搬した酸素ボンベ３２又は小型コンブレッサー３２Ａにより供給し、さらに、電力は例えば可搬型歯科治療装置８１とともに運搬したＡＣ１００Ｖの電圧を出力するように構成した小型発電機９３、及び、前記プラグ７５、コード７６を用いて供給することで、前記インスツルメント類８５を動作させ、歯科診療を実行することができる。
【０１３６】
また、前記アシスタント装置部８３に関しては、例えば図示しないが運搬したエアー吸引機能を有する電源付きの小型コンプレッサー等を用いることで排唾動作の実行を可能とすることも可能である。
【０１３７】
前記可搬型歯科治療装置８１としては、図２２に示すように、ベルト７８ａ、キャスター７９を備える専用搬送カート７８を付加して、運搬の便宜をさらに向上させることも可能である。
【０１３８】
本実施例２によれば、訪問診療や災害時診療等の臨時診療に対応可能な臨時診療専用タイプの可搬型歯科治療装置８１を実現することができる。
【０１３９】
尚、本実施例２に係る可搬型歯科治療装置８１において、駆動エネルギー媒体の供給源種類としては上述した例に限らず、実施例１の場合と同様に種々の供給源を選択することが可能であり、特に限定するものではない。
【０１４０】
本実施例２の可搬型歯科診療装置８１においては、訪問診療や災害時診療の他に、椅子やベッドがあれば、診療室の常設診療としても使用が可能である。
【０１４１】
常設診療時には、図２３に示すように、前記ドクター装置部８２とアシスタント装置部８３とを分離してドクター装置部８２をドクター側に、アシスタント装置部８３をアシスタント側に配置して患者の診療を行うことができる。
【０１４２】
その際、駆動エネルギー媒体の一種である水は、診療室内にある常設の基幹部２の水供給源に接続し、水道設備からの水道水を供給することができる。
【０１４３】
またエアーは基幹部２のエアー供給源に接続し、歯科医院等に設置したエアーコンプレッサーからエアー（圧縮空気）を供給することができる。
【０１４４】
さらに電力は前記プラグ７５、コード７６を用いて基幹部２内の電力供給部に接続することにより、歯科医院等に設置した電気設備から供給される商用電源を供給することができる。
【０１４５】
さらにまたアシスタント装置部８３の吸引ホース９２は、基幹部２に設けられたセントラルバキューム(図示なし)と接続することができる。
【０１４６】
尚、セントラルバキュームは、図７に示すフロート４６、逆止弁４７、バキュームタンク４４、バキュームモータ３８をバキュームモジュール内に設けるのではなく、診療室内のバキューム機能を一つにまとめて診療室内外に設けたもので、バキュームモータを回転させることでバキュームタンク４４内を陰圧にして各診療装置に分岐吸引できるようにしたものである。
【０１４７】
尚、既述した実施例１の図１７に示す場合と同様に、臨時診療時と、常設診療時の供給量切換手段９５を設けることで、臨時診療時は、エアーが流量を制限したエアー流量制限管路９６を通過するようにエアー供給量切換部９５ａで切換える。同様に、臨時診療時は、水が流量を制限した水流量制限管路９７を通過するように水供給量切換部９５ｂで切換える。さらに、臨時診療時は、電力についてはマイクロモータへの電力を制限するような電力供給制限回路９８を経由するように電力供給量切換部９５ｃにより切換える。
【０１４８】
一方、常設診療時では、エアーが流量を制限しない管路を通過するようにエアー供給量切換部９５ａで切換える。また、常設診療時では、水が流量を制限しない管路を通過するように水供給量切換部９５ｂで切換える。さらに、常設診療時では、電力についてはマイクロモータへの電力を制限しない電路を経由するように電力供給量切換部９５ｃにより切換える。
【０１４９】
このように構成すれば、本実施例２の可搬型歯科診療装置８１を比較的簡略な構成からなる診療室内での常設診療用として活用することができる。
【産業上の利用可能性】
【０１５０】
本発明の可搬型歯科診療装置は、複数の診療モジュールを組み合わせた一台構成の基に、歯科医院、病院の歯科等における常設診療に加えて、患者宅等での訪問診療や、地震災害、台風災害、津波災害等の災害発生時における臨時診療用として広範に対応可能である。
【符号の説明】
【０１５１】
１    基礎ユニット
２    基幹部
３    診療テーブル
４    主アーム
５    バランスアーム
６    アシスタントテーブル
７    補助アーム
８    バキュームチップ
９    シリンジ
１０    給水口
１１    インスツルメントモジュール
１２    エアータービンハンドピース
１３    シリンジ
１４    椅子モジュール
１４ａ  子本体
１５    スピットン
１５ａ  接続ホース
１６    セパレータ
１７    ＤＩモジュール
１７ａ  ＤＩモジュール本体
１８    キャスター
１９    ストッパー
２０    フットコントローラ
２１    水タンク
２１Ａ  飲料水ボトル
２１ｃ  水用ホース
２２    コンプレッサー装備
２２ａ  電源ケーブル
２３    エアー用ワンタッチジョイント
２３ａ  エアー用ワンタッチジョイント（オス）
２３ｂ  エアー用ワンタッチジョイント（メス）
２３ｃ  アー用ホース
２４    水用ワンタッチジョイント
２４ａ  水用ワンタッチジョイント（オス）
２４ｂ  水用ワンタッチジョイント（メス）
２４ｃ  水用ホース
２５    接続チューブ
２５ａ  分岐接続チューブ
２６    接続チューブ
２６ａ  分岐接続チューブ
２７    レギュレータ
２８    切替弁
２８ａ  ドライブペダル
２８ｂ  圧力調整弁
２９    シャトル弁
３０    切替制御弁
３０ａ  切替弁
３１    開閉制御弁
３２    酸素ボンベ
３２Ａ  小型コンブレッサー
３５    キャスター
３５    収納カート
３６    バキュームモジュール
３６ａ  バキュームモジュール本体
３８    バキュームモータ
３９    ホース
４０    分岐接続部
４１    バキュームチップ
４２    ハンガー
４３    スイッチ
４４    バキュームタンク
４５    セパレータタンク
４６    フロート
４７    逆止弁
４８    スピットン置台
４９    台
５０    収納ケース
５２    ベルト
５３    ベッド
５３    専用台
６１ａ  電力用コネクタ（オス）
６１ｂ  電力用コネクタ（メス）
６２    プラグ
６３    電源ケーブル
６４    バッテリー
６５    電源ケーブル
７１ａ  電力用コネクタ（オス）
７１ｂ  電力用コネクタ（メス）
７２    プラグ
７３    電源ケーブル
７５    プラグ
７６    電気コード
７７    貯水タンク
７８    専用搬送カート
７８ａ  ベルト
７９    キャスター
８１    可搬型歯科治療装置
８２    ドクター装置部
８２ａ  蓋体
８２ｂ  把手
８２ｃ  係止突起
８３    アシスタント装置部
８３ａ  蓋体
８３ｂ  把手
８３ｃ  係止フック
８４    装置枠体
８５    インスツルメント類
８６ａ  トリプルシリンジ
８６ｂ  マイクロもーターハンドピース
８６ｃ  スケーラー
８７    ハンガー
８８    操作パネル
８９    バキュームホース
８９ａ  装着口
９０    セパレータ部
９０ａ  支持杆
９１    ハンガー
９１ａ  掛止部
９２    吸引ホース
９２ａ  装着口
９３    小型発電機
９５    供給量切換手段
９５ａ  エアー供給量切換部
９５ｂ  水供給量切換部
９５ｃ  電力供給量切換部
９６    エアー流量制限管路
９７    水流量制限管路
９８    電力供給制限回路
【図１】
2015142604.tif 000003
【図２】
2015142604.tif 000004
【図３】
2015142604.tif 000005
【図４】
2015142604.tif 000006
【図５】
2015142604.tif 000007
【図６】
2015142604.tif 000008
【図７】
2015142604.tif 000009
【図８】
2015142604.tif 000010
【図９】
2015142604.tif 000011
【図１０】
2015142604.tif 000012
【図１１】
2015142604.tif 000013
【図１２】
2015142604.tif 000014
【図１３】
2015142604.tif 000015
【図１４】
2015142604.tif 000016
【図１５】
2015142604.tif 000017
【図１６】
2015142604.tif 000018
【図１７】
2015142604.tif 000019
【図１８】
2015142604.tif 000020
【図１９】
2015142604.tif 000021
【図２０】
2015142604.tif 000022
【図２１】
2015142604.tif 000023
【図２２】
2015142604.tif 000024
【図２３】
2015142604.tif 000025
【図２４】
2015142604.tif 000026